(57)【要約】【課題】パーソナルコンピュータ側からもリモートライブビュー撮影が可能である場合の操作性を改善して、撮影作業の効率を向上させる。【解決手段】撮像素子７に結像した画像をリアルタイムに表示するライブビュー撮影を実行可能なデジタル一眼レフカメラ１０１と、カメラ１０１の撮像素子７に結像した画像を逐次受信してモニタ装置１０４にリアルタイムに表示するリモートライブビュー撮影を実行可能なパーソナルコンピュータ１０３とが接続されており、カメラ１０１でのライブビュー撮影の開始操作に同期して、パーソナルコンピュータ１０３でのリモートライブビュー撮影を開始したり、カメラ１０１でのライブビュー撮影の終了操作に同期して、パーソナルコンピュータ１０３でのリモートライブビュー撮影を終了したりする設定を可能にした。【選択図】図１
2011049661.tif 000002
【特許請求の範囲】
【請求項１】
撮像素子に結像した画像を表示するライブビュー撮影を実行可能な撮像装置に接続される情報処理装置であって、
前記撮像装置から前記撮像素子に結像した画像を逐次受信して表示装置に表示するリモートライブビュー撮影を実行する制御手段を備え、
前記撮像装置でのライブビュー撮影の開始操作に同期して、リモートライブビュー撮影を開始する設定を可能にしたことを特徴とする情報処理装置。
【請求項２】
撮像素子に結像した画像を表示するライブビュー撮影を実行可能な撮像装置に接続される情報処理装置であって、
前記撮像装置から前記撮像素子に結像した画像を逐次受信して表示装置に表示するリモートライブビュー撮影を実行する制御手段を備え、
前記撮像装置でのライブビュー撮影の終了操作に同期して、リモートライブビュー撮影を終了する設定を可能にしたことを特徴とする情報処理装置。
【請求項３】
撮像素子に結像した画像を表示するライブビュー撮影を実行可能な撮像装置であって、
前記撮像素子に結像した画像を逐次受信して表示装置に表示するリモートライブビュー撮影を実行可能な情報処理装置に接続する接続手段と、
ライブビュー撮影の開始操作及び終了操作があったことを前記情報処理装置に通知する通知手段とを備えたことを特徴とする撮像装置。
【請求項４】
ライブビュー撮影状態ではファインダ光路が遮断されることを特徴とする請求項３に記載の撮像装置。
【請求項５】
撮像素子に結像した画像を表示するライブビュー撮影を実行可能な撮像装置に接続されるコンピュータを制御するためのプログラムであって、
前記撮像装置から前記撮像素子に結像した画像を逐次受信して表示装置に表示するリモートライブビュー撮影を実行する制御手段として前記コンピュータを機能させ、
前記撮像装置でのライブビュー撮影の開始操作に同期して、リモートライブビュー撮影を開始する設定を可能にしたことを特徴とするプログラム。
【請求項６】
撮像素子に結像した画像を表示するライブビュー撮影を実行可能な撮像装置に接続されるコンピュータを制御するためのプログラムであって、
前記撮像装置から前記撮像素子に結像した画像を逐次受信して表示装置に表示するリモートライブビュー撮影を実行する制御手段として前記コンピュータを機能させ、
前記撮像装置でのライブビュー撮影の終了操作に同期して、リモートライブビュー撮影を終了する設定を可能にしたことを特徴とするプログラム。
【請求項７】
撮像素子に結像した画像を表示するライブビュー撮影を実行可能な撮像装置を制御するためのプログラムであって、
前記撮像素子に結像した画像を逐次受信して表示装置に表示するリモートライブビュー撮影を実行可能な情報処理装置に接続する接続手段と、
ライブビュー撮影の開始操作及び終了操作があったことを前記情報処理装置に通知する通知手段としてコンピュータを機能させるためのプログラム。
【発明の詳細な説明】
【技術分野】
【０００１】
本発明は、撮像装置が撮像する画像を確認しながら撮影に関する制御を行うことのできる情報処理装置、撮像装置及びプログラムに関する。
【背景技術】
【０００２】
従来、写真スタジオ等において、撮像素子に結像したリアルタイム画像（ライブビュー画像）を背面モニタ装置や外部モニタ装置に表示させ、ライブビュー画像を確認しながら構図確認やフォーカス調整を行うことができるデジタルカメラが使用されている。
【０００３】
さらに、デジタルカメラからパーソナルコンピュータにライブビュー画像を転送して、パーソナルコンピュータに接続されたモニタの大画面に表示するようにしたものがある。例えば特許文献１には、デジタル一眼レフカメラとパーソナルコンピュータとが接続されており、パーソナルコンピュータが、ライブビュー画像に施すシャープネスの度合いをデジタルカメラに指定可能としたスタジオ撮影システムが開示されている。
【先行技術文献】
【特許文献】
【０００４】
【特許文献１】特開２００８−１９３５９４号公報
【発明の概要】
【発明が解決しようとする課題】
【０００５】
上記従来技術（特許文献１）に開示されているようなライブビュー画像を確認ながら撮影を行うライブビュー撮影モードでは、撮影に関わる操作をカメラ側及びパーソナルコンピュータ側のいずれかからでも行うことができる。
【０００６】
カメラ側から操作を行う場合、ライブビュー開始ボタンを押下する等してライブビュー撮影モードに切り替えることで、カメラの背面モニタ装置等にライブビュー画像を表示させ、被写体の確認、また、拡大表示をしてピントの確認等を行うことができる。
【０００７】
一方、パーソナルコンピュータ側から操作を行う場合、マウス操作で操作画面上のライブビュー開始ボタンをクリックする等して、パーソナルコンピュータからリモートライブビュー撮影モードに切り替える指令をカメラに通知する。カメラはリモートライブビュー撮影モードの指令を受けるとライブビュー撮影モードに切り替わり、ライブビュー画像をパーソナルコンピュータに逐次送信する。パーソナルコンピュータはカメラから逐次受信したライブビュー画像をモニタ画面に表示することで、リアルタイムにライブビュー画像を確認しながら撮影に関わるパラメータ変更や撮影実施の指示等の撮影のリモート操作を行うことができる。
【０００８】
このように、カメラ側操作及びパーソナルコンピュータ側操作のいずれも可能であるので、いずれか一方がライブビュー撮影状態の指令を出している限り、カメラはライブビュー撮影状態になっている必要がある。
【０００９】
ところが、デジタル一眼レフカメラの場合、ライブビュー撮影状態になっているときはミラーが上がっているため、光学ファインダで被写体の確認ができなくなってしまうのが一般的である。そのため、パーソナルコンピュータ側操作によりリモートライブビュー撮影モードになっている間は、カメラ側で光学ファインダを見ることができなくなってしまう。多くのスタジオカメラマンは光学ファインダでの被写体の確認に慣れており、また光学ファインダで確認できる情報量も多いため、光学ファインダで被写体を確認できないことは撮影に支障をきたすことがあった。
【００１０】
本発明は上記のような点に鑑みてなされたものであり、パーソナルコンピュータ側からもリモートライブビュー撮影が可能である場合の操作性を改善して、撮影作業の効率を向上させることを目的とする。
【課題を解決するための手段】
【００１１】
本発明の情報処理装置は、撮像素子に結像した画像を表示するライブビュー撮影を実行可能な撮像装置に接続される情報処理装置であって、前記撮像装置から前記撮像素子に結像した画像を逐次受信して表示装置に表示するリモートライブビュー撮影を実行する制御手段を備え、前記撮像装置でのライブビュー撮影の開始操作に同期して、リモートライブビュー撮影を開始したり、前記撮像装置でのライブビュー撮影の終了操作に同期して、リモートライブビュー撮影を終了したりする設定を可能にしたことを特徴とする。
【発明の効果】
【００１２】
本発明によれば、情報処理装置側からもリモートライブビュー撮影が可能である場合の操作性を改善して、撮影作業の効率を向上させることができる。これにより、例えばスタジオ撮影におけるユーザの用途に応じたユースケースに柔軟に対応することができる。
【図面の簡単な説明】
【００１３】
【図１】本発明の実施形態に係るリモート撮影システムの構成例を示す図である。
【図２】パーソナルコンピュータの概略構成を示すブロック図である。
【図３】デジタルカメラを説明するための図であり、（ａ）がデジタルカメラの概略構成を示すブロック図、（ｂ）がデジタルカメラの背面側の外観図である。
【図４】パーソナルコンピュータに接続されたモニタ装置の画面例を説明するための図であり、（ａ）がリモートライブビュー撮影の操作及び表示画面の例を示す図、（ｂ）がアプリケーションの環境設定画面の例を示す図である。
【図５】本実施形態においてパーソナルコンピュータが実行する処理動作を示すフローチャートである。
【発明を実施するための形態】
【００１４】
以下、添付図面を参照して、本発明の好適な実施形態について説明する。
図１は、本実施形態に係るリモート撮影が実行可能なシステムの構成例を示す図である。図１のリモート撮影システムは、デジタル一眼レフカメラ（以下、デジタルカメラ）１０１、情報処理装置であるパーソナルコンピュータ（以下、ＰＣ）１０３、表示装置であるモニタ装置１０４を備える。デジタルカメラ１０１とＰＣ１０３は、公知のＵＳＢ（Universal Serial Bus）コード１０７により接続されており、画像データを含む各種信号の送受信が可能になっている。本例では、デジタルカメラ１０１は、撮影台（三脚）１０９の上部に設置されている。ＰＣ１０３は、デジタルカメラ１０１の撮影条件の設定を遠隔操作し、撮影された画像を取り込む機能を有する。
【００１５】
図２は、ＰＣ１０３の概略構成を示すブロック図である。２０１はＣＰＵである。２０２は内部メモリである。２０３はグラフィックコントローラを含む表示器であり、外部モニタ装置１０４と接続される場合や内蔵のモニタを有する場合もある。２０４はキーボード、２０５はマウスである。２０６は通信ポートであり、これを介してデジタルカメラ１０１との通信を可能にしている。２０７はハードディスク（ＨＤ）等のディスクメモリである。なお、ここではディスクメモリと説明したが、必ずしもディスク形状の媒体でなくても、フラッシュメモリのようにディスク同様に扱える記憶装置でもよい。２０８はＰＣ１０３内の電源である。モニタ装置１０４は、ＰＣ１０３に接続されており、撮影パラメータ操作画面やライブビュー画像表示画面を含む各種画面を表示する。このようなリモート撮影システムのアプリケーションプログラムはＨＤ２０７に記憶されており、ユーザオペレーションやカメラデバイス検出等のトリガで起動されＣＰＵ２０１で実行される。
【００１６】
図３（ａ）は、デジタルカメラ１０１の概略構成を示すブロック図である。１、３は撮影レンズであり、ここでは説明の便宜上２枚のレンズで図示しているが、実際は更に多数枚のレンズから構成される。２は絞りであり、撮影レンズ１、３を通過した光量を調整する。４は主ミラーであり、ファインダ系による被写体像の観察状態に応じて撮影光路に対して傾斜状態或いは退避状態に設定される。５はサブミラーであり、主ミラー４を通過した光束をカメラ筐体の下方に位置する焦点検出のためのレンズ系１１及びラインセンサ１２へ向けて反射する。
【００１７】
６はシャッタである。７は撮像素子であり、ＣＣＤ型撮像素子或いはＣＭＯＳ型撮像素子として構成される。８は液晶表示部であり、ファインダ内に内蔵され、撮影レンズ１、３の予定結像面に配置されたピント版及び測距枠のマーク等を表示する。９はペンタプリズムであり、ファインダ光路変更用のプリズムである。１０は接眼レンズであり、これを介して撮影者は被写体を観察することができる。１１は焦点検出用のレンズである。１２はラインセンサであり、焦点検出を行う。
【００１８】
１３は焦点調節回路であり、撮影レンズ１、３内に配置され、焦点調節を行う。２８はＡ／Ｄ変換回路であり、ファインダ光路系の上部に配置された測光回路とその出力をＡ／Ｄ変換する。１４は絞り駆動回路であり、撮影レンズ１、３内に配置され、絞り２を駆動する。１５はミラー駆動回路であり、主ミラー４を駆動する。１６はラインセンサ駆動回路であり、ラインセンサ１２を駆動する。１７はシャッタ駆動回路であり、シャッタ６を駆動する。１８は撮像素子駆動回路であり、撮像素子７を駆動する。１９はＡ／Ｄ変換回路であり、撮像素子７から出力されるアナログ撮影信号をデジタル撮影信号に変換する。２０は信号処理回路であり、デジタル撮影信号に対して信号処理を施す。
【００１９】
２１はＲＡＭであり、デジタル画像信号等を一時的に保存する。２２はＲＯＭであり、デジタルカメラ１０１を制御するための制御プログラム等を格納する。２３はコンパクトフラッシュ（登録商標）（ＣＦ）であり、デジタル画像信号を最終的に記録する記録媒体である。２４はＣＰＵであり、デジタルカメラ１０１の各部の制御を司る中央演算処理装置である。２５は液晶表示部（ＬＣＤ）であり、撮像したデジタル画像信号に対応する撮影画像を表示する。
【００２０】
２６はスイッチ入力部であり、図３（ｂ）に示すシャッタボタン３７で操作されるレリーズスイッチ（以下レリーズＳＷ）、各種機能ボタン３１〜３３、ダイヤル３４、３８、電源スイッチ等の各種ボタンの操作に連動する入力を行う。スイッチ入力部２６は、撮影者により該当ボタンが操作されると対応する信号をＣＰＵ２４に送出する。レリーズＳＷは、少なくとも２つ以上の接点を有するスイッチから構成され、例えば、押下される量に応じて状態が２段階に切り替わる構造となっている。レリーズＳＷを途中まで押下した場合には第１の接点（ＳＷ１）が選択され、最後まで押下した場合には第２の接点（ＳＷ２）が選択される。ＳＷ１が選択された場合にはＡＦ（自動焦点）やＡＥ（自動露出）等の撮影準備動作を行い、ＳＷ２が選択された場合には撮影動作及びデジタル画像信号の作成動作及び記録動作を行う。
【００２１】
２７はＩ／Ｏポートであり、ＵＳＢコード１０７を介してデジタルカメラ１０１とＰＣ１０３との接続を可能とする。これにより、ＰＣ１０３によりデジタルカメラ１０１の制御を可能としている。
【００２２】
図３（ｂ）は、デジタルカメラ１０１の背面側の外観図である。デジタルカメラ１０１の筐体の上面部には、機能選択用の機能ボタン３１〜３３、選択メインダイヤル３４、シャッタボタン３７等が配設されている。また、筐体の背面部には、選択サブダイヤル３８、ライブビュー開始／終了ボタン４２、撮影画像の確認用及び機能メニュー表示用の液晶表示部２５が配設されている。また、筐体の側面部には、液晶表示部２５の表示画像を出力するビデオ出力端子４１が配設されている。また、筐体の前面部（不図示）には、撮像レンズ、画像出力端子等が配設されている。撮影者によるシャッタボタン３７で操作されるレリーズＳＷ、各種機能ボタン３１〜３３、ダイヤル３４、３８、電源スイッチ等の各種ボタンの操作に伴う各モードヘの分岐や機能の実行は、以下のように行われる。即ち、スイッチ入力部２６からＣＰＵ２４に送られる状態信号を判別し、当該状態信号に対応するモード処理用回路或いはプログラムに分岐するモード判定モジュール（本実施形態ではプログラムで構成）により行われる。
【００２３】
次に、本実施形態に係るリモート撮影システムによる撮影動作について説明する。デジタルカメラ１０１では、フイルムカメラと同様にピント版に結像した画像をファインダで確認する従来通りのピント確認の他に、撮像素子７に結像した画像をリアルタイムに液晶表示部２５で確認しながら構図確認やピント合わせを行う撮影方法がある。この撮影方法をライブビュー撮影と呼ぶこととする。
【００２４】
デジタルカメラ１０１でライブビュー撮影を行う場合には、ライブビュー開始／終了ボタン４２を押下することによりライブビュー撮影モードに切り替わり、デジタルカメラ１０１は撮像素子７で結像した画像をリアルタイムに液晶表示部２５に表示する。これにより、撮影者は画像全体の構図や色合等を見た状況に基づいてデジタルカメラ１０１を移動させる等することで、アングル調整を行うことができる。このとき、撮像素子７に映像を投影させるため主ミラー４は退避状態に設定され、シャッタ６を開く。即ち、ファインダ光路は遮断され、ファインダでの被写体確認はできなくなる。
【００２５】
また、デジタルカメラ１０１の液晶表示部２５に表示される画像は拡大することが可能で、且つ、拡大する位置を移動することが可能である。ライブビュー撮影でのピント合わせは、ピントを合わせたい部分を液晶表示部２５に拡大表示すると共に表示画像を確認しながらオートフォーカスやマニュアルフォーカスにより行う。
【００２６】
一方、ライブビュー撮影は、デジタルカメラ１０１単体での撮影のみでなく、デジタルカメラ１０１にＵＳＢコード１０７で接続されたＰＣ１０３からの遠隔操作により行うこともできる。この場合、デジタルカメラ１０１は撮像素子７に結像した画像を逐次ＰＣ１０３に送信し、ＰＣ１０３は逐次受信した画像をリアルタイムにモニタ装置１０４に表示する。この撮影方法をリモートライブビュー撮影と呼ぶこととする。リモートライブビュー撮影の場合、撮像素子７に結像した画像（ライブビュー画像）をモニタ装置１０４に表示させて、より大きな画面で細かい確認をしながら構図確認やピント合わせを行うことができる。
【００２７】
図４（ａ）は、ＰＣ１０３を利用したリモートライブビュー撮影の操作及び表示画面の例を示す図である。図４（ａ）において、リモートライブビュー画面４０１は、ＰＣ１０３においてリモートライブビュー撮影で使用するアプリケーションプログラム（制御プログラム）により表示されるユーザインタフェース画面である。本実施形態では、ＰＣ１０３に接続されたモニタ装置１０４に、リモートライブビュー画面４０１を表示する場合を例に挙げ説明する。
【００２８】
リモートライブビュー画面４０１には、撮像素子７に結像した画像を表示するための画像表示部４０２が設けられている。ＰＣ１０３ではデジタルカメラ１０１から随時取得した画像を描画更新することで、撮影した画像をモニタ装置１０４にライブ表示する。これにより、撮影者は画像全体の構図や色合等を確認することができる。
【００２９】
また、リモートライブビュー画面４０１の画像表示部４０２には、拡大枠４０３が設けられている。拡大枠４０３により、画像において拡大表示する領域を示すことができる。また、マウス２０５のドラッグ操作等で拡大枠４０３を移動することにより、拡大枠４０３の位置を変更することができる。拡大枠４０３は、デジタルカメラ１０１で被写体をオートフォーカスする際のポイントとしての位置も兼ねている。画像表示部４０２をマウス２０５でダブルクリックしたり、拡大ボタン４０４をクリックしたりする等でピクセル等倍のような拡大画像に表示する画像を切り換えることができる。
【００３０】
また、リモートライブビュー画面４０１には、遠隔操作によるフォーカス制御を指示するオートフォーカスボタン４０５、マニュアル操作でのピント合わせを指示するマニュアルフォーカスボタン４０６〜４０９が設けられている。マニュアルフォーカスボタン４０６は、近方向への粗い駆動を指示する粗駆動ボタンである。マニュアルフォーカスボタン４０７は、近方向への微小な駆動を指示する微駆動ボタンである。マニュアルフォーカスボタン４０８は、遠方向への微小な駆動を指示する微駆動ボタンである。マニュアルフォーカスボタン４０９は、遠方向への粗い駆動を指示する粗駆動ボタンである。
【００３１】
オートフォーカスボタン４０５が押下されると、拡大枠４０３の中心近傍でピントが合うように自動的にフォーカス調整が行われる。マニュアルフォーカスボタン４０６〜４０９は、オートフォーカスボタン４０５でフォーカス調整した後の微調整を行う目的で設けられており、それぞれのボタン押下で各規定量だけフォーカス微調整を行うことができる。
【００３２】
構図確認やピント合わせができたなら、図示しない撮影時実施ボタンをマウス２０５で押下する。これにより、ＰＣ１０３はデジタルカメラ１０１に撮影実施の指令を通知し、撮影された画像を受信してＨＤ２０７に取り込み、画像を表示することで遠隔撮影が行える。例えば静物被写体の商品撮影等に大変有効な撮影方法である。
【００３３】
ところで、構図やアングル等に問題がある場合は、全てＰＣ１０３からの遠隔操作で賄えるとは限らない。被写体のレイアウトや撮影アングルを変えたい場合には、一般的にはカメラ側の操作を併用して調整作業を行う。この場合、デジタルカメラ１０１のライブビュー開始／終了ボタン４２を押下し、撮像素子７に結像した画像を液晶表示部２５に表示することで調整を行うことができる。
【００３４】
しかしながら、リモートライブビュー撮影が行われている場合は、デジタルカメラ１０１では常にライブビュー撮影状態を継続している（即ち、主ミラー４は退避状態に設定されている）ため、ファインダによる被写体確認はできない。
【００３５】
もし、デジタルカメラ１０１のライブビュー撮影の終了操作に応じてライブビュー撮影状態を解除してしまうと、ＰＣ１０３で別の人がライブビュー画像を確認している場合、突然リモートライブビュー撮影状態が終了してしまうことになり、困る場合も考えられる。
【００３６】
そこで、モニタ装置１０４にアプリケーションの環境設定画面を表示し、カメラ操作によるライブビュー撮影の開始や終了に同期して、リモートライブビュー撮影を開始したり、終了したりする設定を予め行うことを可能としている。図４（ｂ）にアプリケーションの環境設定画面４１０の一例を示す。これにより、ユーザの用途に応じて望ましい撮影環境に対応することができる。ライブビューの開始４１１が設定されている場合、カメラ操作でライブビュー撮影を開始したと同時にリモートライブビュー撮影を開始する。また、ライブビューの終了４１２が設定されている場合、カメラ操作でライブビュー撮影を終了したと同時にリモートライブビュー撮影を終了する。
【００３７】
図５に、本実施形態においてＰＣ１０３がデジタルカメラ１０１からのイベントに対して実行する処理動作を示す。この処理動作は、ＰＣ１０３においてリモートライブビュー撮影で使用するアプリケーションプログラム（制御プログラム）を実行することにより実現される。デジタルカメラ１０１は、ライブビュー撮影の開始操作及び終了操作があったことをＰＣ１０３に通知する機能を有する。
【００３８】
ステップＳ５０１で、デジタルカメラ１０１からの通知により、カメラ操作でライブビュー撮影が開始されたことを検出したか否かを判定する。ステップＳ５０１においてライブビュー撮影が開始されたと判定したならば、ステップＳ５０２に進み、環境設定画面４１０のライブビューの開始４１１に設定されているか否かを判定する。ライブビューの開始４１１が設定されていなかったり、既にリモートライブビュー撮影状態にあったりする場合、Ｎｏ判定で何もしない。ライブビューの開始４１１が設定されていた場合、ステップＳ５０３に進み、リモートライブビュー撮影開始処理を行う。リモートライブビュー撮影開始処理は、デジタルカメラ１０１に対してリモートライブビュー撮影開始の通知を行うとともに、リモートライブビュー画面（図４（ａ）を参照）を表示する。
【００３９】
一方、ステップＳ５０１においてライブビュー撮影が開始されていないと判定したならば、ステップＳ５０４に進み、デジタルカメラ１０１からの通知により、カメラ操作でライブビュー撮影が終了されたことを検出したか否かを判定する。ライブビュー撮影が終了されたと判定したならば、ステップＳ５０５に進み、環境設定画面４１０のライブビューの終了４１２に設定されているか否かを判定する。ライブビューの終了４１２設定がされていなかったり、既にリモートライブビュー撮影状態でなかったりする場合、Ｎｏ判定で何もしない。ライブビューの終了４１２が設定されていた場合、ステップＳ５０６に進み、リモートライブビュー撮影終了処理を行う。リモートライブビュー撮影終了処理は、デジタルカメラ１０１に対してリモートライブビュー撮影終了の通知を行うとともに、リモートライブビュー画面（図４（ａ）を参照）を閉じる。
【００４０】
例えば、ライブビューの開始４１１とライブビューの終了４１２を共に設定状態にしていたならば、カメラ側の操作でライブビュー開始／終了ボタン４２を押下してライブビュー撮影を開始すると、リモートライブビュー撮影も自動的に開始する。したがって、カメラマンはＰＣ１０３側で改めて開始操作を行う必要なく画像の確認作業ができる。また、カメラ側の操作でライブビュー開始／終了ボタン４２を押下してライブビュー撮影を終了すると、リモートライブビュー撮影も自動的に終了する。したがって、デジタルカメラ１０１はライブビュー撮影状態から抜け、主ミラー４を傾斜状態に戻し、ファインダでの被写体確認ができるようになる。これにより、ユーザの用途に応じたスタジオ撮影のユースケースに柔軟に対応することができるようになる。
【００４１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４３】
１０１：デジタルカメラ、１０３：パーソナルコンピュータ、１０４：モニタ装置、４：主ミラー、７：撮像素子、２４：ＣＰＵ、２５：液晶表示部、２０１：ＣＰＵ
【図１】
2011049661.tif 000003
【図２】
2011049661.tif 000004
【図３】
2011049661.tif 000005
【図４】
2011049661.tif 000006
【図５】
2011049661.tif 000007